(57)【特許請求の範囲】
【請求項１】
レンチキュラーレンズを有する記録媒体を搬送し、前記搬送される前記記録媒体に対して記録を行う記録装置であって、
前記搬送される記録媒体を支持する支持手段と、
前記記録媒体を前記支持手段の支持面に対して押圧する押圧手段と
を備え、
前記支持手段は、前記支持面に前記レンチキュラーレンズに対して所定の搬送方向に沿って係合する線条の係合部を有し、前記記録媒体の搬送中に、前記記録装置の筐体に対して固定されていることを特徴とする記録装置。
【請求項２】
前記係合部は、前記レンチキュラーレンズの配設ピッチの整数倍で複数設けられていることを特徴とする請求項１に記載の記録装置。
【請求項３】
前記係合部は、前記記録媒体の幅方向の全域に亘って前記レンチキュラーレンズと同一ピッチで設けられていることを特徴とする請求項２に記載の記録装置。
【請求項４】
前記押圧手段は、前記記録媒体の搬送方向に向かって回転する回転ローラーであることを特徴とする請求項３に記載の記録装置。
【請求項５】
前記係合部を前記支持面に沿って前記搬送方向と直交する方向に変位させる変位機構を備えることを特徴とする請求項１から４のいずれか１項に記載の記録装置。
【請求項６】
前記係合部を前記支持面に沿って回転させる回転機構を備えることを特徴とする請求項１から５のいずれか１項に記載の記録装置。
【請求項７】
前記係合部は、前記記録媒体のレンチキュラーレンズと同一部材からなることを特徴とする請求項１から６のいずれか１項に記載の記録装置。
【発明の詳細な説明】
【技術分野】
【０００１】
本発明は、レンチキュラーレンズを有する記録媒体に対して記録を行うことができる記録装置に関する。
【背景技術】
【０００２】
記録層に重ねてレンチキュラーレンズを有し、記録層に記録された画像をレンチキュラーレンズを介して、立体画像あるいは見る角度によって見える画像の形態等が変わる変り絵画像として見ることができる記録媒体が従来から知られている。かかる記録媒体に記録された画像を所定の立体画像あるいは変り絵画像として見ることができるようにするためには、記録層への記録位置をレンチキュラーレンズのレンズ配列に精度良く対応させて行う必要がある。そのため、例えば、特許文献１には、センサーを用いてレンチキュラーレンズの位置を検出し、この検出結果に基づいて所望の位置に記録を行う手段が開示されている。また、特許文献２には、搬送用トレイに載置された記録媒体がトレイ上で位置ずれしない対策を施し、記録位置の精度を高める手段が開示されている。
【０００３】
【特許文献１】特許第３４７１９３０号
【特許文献２】特開２００７−１３０７６９号
【発明の開示】
【発明が解決しようとする課題】
【０００４】
しかしながら、特許文献１の手段による場合は、センサーを備える必要がありコスト高を招くと言う問題がある。また、特許文献２の手段による場合は、記録媒体の搬送用トレイに対する位置ずれを防止することはできるが、搬送用トレイが搬送方向に対して傾斜した状態で搬送されてしまう場合には、記録位置の精度を高めることができない。
【０００５】
そこで、本発明は、簡単な構成で記録位置の精度を上げることができる記録装置を提供することを目的とする。
【課題を解決するための手段】
【０００６】
上記課題を解決するために、本発明は、レンチキュラーレンズを有する記録媒体を搬送し、前記搬送される前記記録媒体に対して記録を行う記録装置であって、前記搬送される記録媒体を支持する支持手段を備え、前記支持手段は、支持面に前記レンチキュラーレンズに対して、所定の搬送方向に沿って係合する線条の係合部を有することとする。
【０００７】
記録装置をこのように構成することで、記録媒体の搬送時の搬送方向を一定に維持することができ、記録媒体への記録位置の精度を向上させることができる。
【０００８】
また、他の発明は、上述の発明に加えて、係合部は、レンチキュラーレンズの配設ピッチの整数倍で複数設けられていることとする。記録装置をこのように構成することで、記録媒体のレンチキュラーレンズが複数の係合部に係合するため、記録媒体の搬送方向の維持が確実なものとなり、記録媒体への記録位置の精度をより向上させることができる。
【０００９】
また、他の発明は、上述の発明に加えて、係合部は、記録媒体の幅方向の全域に亘ってレンチキュラーレンズと同一ピッチで設けられていることとする。記録装置をこのように構成することで、記録媒体のレンズ面がその幅方向の全域に亘って係合部に係合するため、記録媒体の搬送方向の維持が確実なものとなり、記録媒体への記録位置の精度をさらに向上させることができる。
【００１０】
また、他の発明は、上述の発明に加えて、記録体を支持面に対して押圧する押圧手段を備えることとする。記録装置をこのように構成することで、押圧手段により記録装置のレンチキュラーの係合部への係合が確実なものとなり、記録媒体の搬送方向の維持が確実なものとなり、記録媒体への記録位置の精度をよりさらに向上させることができる。
【００１１】
また、他の発明は、上述の発明に加えて、押圧手段は、記録媒体の搬送方向に向かって回転する回転ローラであることとする。記録装置をこのように構成することで、回転ローラが記録媒体の搬送方向に向かって回転するため、記録媒体を搬送するための駆動力を小さくすることができる。
【００１２】
また、他の発明は、上述の発明に加えて、支持面をこの支持面に沿って搬送方向と直交する方向に変位させる変位機構を備えることとする。係合部を支持面に沿って搬送方向と直交する方向に変位させる変位機構を備えることとする。記録装置をこのように構成することで、記録媒体を所定の記録位置に位置合わせすることができる。
【００１３】
また、他の発明は、上述の発明に加えて、  係合部を支持面に沿って回転させる回転機構を備えることとする。記録装置をこのように構成することで、係合部とレンチキュラーレンズとの係合方向を記録媒体の搬送方向に沿わせることができる。
【００１４】
また、他の発明は、上述の発明に加えて、係合部は、記録媒体のレンチキュラーレンズと同一部材からなることとする。記録装置をこのように構成することで、簡単に係合部を形成することができる。
【発明の効果】
【００１５】
本発明によると、レンチキュラーレンズを有する記録媒体の搬送精度を簡単な構成で上げることができる。
【発明を実施するための最良の形態】
【００１６】
（第１の実施の形態）
以下に、本発明の第１の実施の形態に係る記録装置１００について、図１および図２を参照しながら説明する。
【００１７】
図１は、記録装置１００の概略の構成を示す概略構成図であり、記録装置１００を後方から見た斜視図である。図２は、図１に示す部分Ｒの拡大図である。なお、図１において、記録媒体としてのレンズシートＬが進行する方向である矢印Ｘの方向を前方（前側）とし、この反対方向を後方（後側）とする。また、後方から前方に向かって右手方向となる矢印Ｙの方向を右方（右側）とし、この反対方向である左手方向を左方（左側）とする。
そして、矢印Ｚの方向を上方（上側）とし、この反対方向を下方（下側）として、以下の説明を行うこととする。
【００１８】
記録装置１００は、外装体である筐体２と、記録媒体としてのレンズシートＬを下側から支持する支持手段としてのシートガイド３と、シートガイド３上に載置されたレンズシートＬを後方から前方に向けて搬送する給紙ローラ４および排紙ローラ５と、レンズシートＬに対して記録を行う記録ヘッド６等を有する。
【００１９】
レンズシートＬは、透明な樹脂シートの一方の面にレンチキュラーレンズ７が形成され、他方の面に画像形成層８が形成されている。このレンズシートＬは、画像形成層８に記録された画像をレンチキュラーレンズ７を介して視認することができるように構成されている。したがって、例えば、画像形成層８に、レンチキュラーレンズ７の配設ピッチや焦点距離等に対応させて視差のある画像を記録し、この画像をレンチキュラーレンズ７の側から視認すると、立体感のある画像として、あるいは見る角度によって異なる画像として視認することができるというものである。なお、レンズシートＬは画像形成層８を形成することなく、レンチキュラーレンズ７が形成される側と反対の面の樹脂部に直接記録を行う構成のものとしてもよい。
【００２０】
筐体２の後側の側面には、レンズシートＬを筐体２内に供給するための給紙開口部９が形成され、また、前側の側面には、給紙開口部９の側から供給されたレンズシートＬを排出する排紙開口部１０が形成されている。給紙開口部９から記録装置１００に供給されたレンズシートＬは、給紙ローラ４および排紙ローラ５により前方に向かって搬送されると共に、記録ヘッド６により記録が行われた後、排紙開口部１０から記録装置１００の外部に排出される。
【００２１】
シートガイド３は、給紙ローラ４と排紙ローラ５の下方に配設され、全体として矩形の板状体を呈している。このシートガイド３は、前後方向が、給紙開口部９の後方に突出した位置から排紙開口部１０と排紙ローラ５との間の位置に亘って備えられている。また、左右の幅方向については、載置されるレンズシートＬの全幅に亘って支持できる幅となっている。シートガイド３は、筐体２、または内部のフレーム等の構造体に対して図示を省略する構成により取り付けられている。
【００２２】
シートガイド３は、樹脂等から形成される板状体の基板１１と、係合部１２とを備えている。係合部１２は、基板１１においてレンズシートＬを支持する側の面である支持面としての上面１１Ａに設けられていて、レンチキュラーレンズ７と同一形状に形成されている。すなわち、レンチキュラーレンズ７を形成する各レンズ要素１３（例えば、シリンドリカルレンズ）と同一形状の線条の凸条１４がレンチキュラーレンズ７の配設ピッチと同一ピッチでレンズシートＬの幅よりも広い幅に亘って並設されている。凸条１４の長手方向、すなわち凸条１４の母線（稜線）方向は、レンズシートＬの所定の搬送方向、すなわち給紙ローラ４および排紙ローラ５に直交する方向に沿って形成されている。
【００２３】
本実施の形態では、係合部１２は、レンチキュラーレンズ７と同一部材により形成している。すなわち、レンチキュラーレンズ７の凸面を上方に向けたレンズシートＬを基板１１の上面に貼り付けることで、基板１１に係合部１２を備えることとしている。このように、係合部１２をレンズシートＬにより形成することで、容易に基板１１上に係合部１２を設けることができる。なお、基板１１を樹脂成形により作成する場合には、成形金型に予め係合部１２に対応する型面を形成して、係合部１２を基板１１と一体に成形するようにしてもよい。このように基板１１に係合部１２を一体に樹脂成形する場合には、基板１１を形成する樹脂材をフッ素樹脂等の低摩擦の樹脂材とすることで、レンズシートＬと係合部１２との摩擦を小さくすることができ、レンズシートＬの搬送をスムーズに行うことができる。また、基板１１を金属板により形成してもよい。この場合には、金属板を切削加工することにより係合部１２を形成することができる。
【００２４】
記録ヘッド６の前後には、給紙ローラ４と排紙ローラ５が配設されている。給紙ローラ４と排紙ローラ５は、それぞれ給紙用モータ１６と排紙用モータ１７により回転駆動され、シートガイド３の上に載置されているレンズシートＬを後方から前方に向けて搬送する。
【００２５】
記録ヘッド６は、キャリッジ１８の下面に取り付けられ、本実施の形態では、インクを吐出するインクジェット型の記録ヘッドとして構成されている。キャリッジ１８は、左右方向に延設されるキャリッジガイド１９に移動可能に支持され、また、キャリッジ用モータ２０により駆動されるタイミングベルト２１に取り付けられている。このため、キャリッジ用モータ２０によりタイミングベルト２１を左右方向に回転駆動すると、キャリッジ１８と共に記録ヘッド６キャリッジガイド１９に沿って左右方向に移動することができる。
【００２６】
したがって、給紙ローラ４と排紙ローラ５によるレンズシートＬの搬送方向である副走査方向への搬送を制御すると共に、記録ヘッド６の移動方向である主走査方向、すなわち左右方向への移動についても制御することで、記録ヘッド６をレンズシートＬの所定位置に移動することができ、レンズシートＬの所望の位置に画像を記録することができる。なお、レンズシートＬは、画像形成層８の側を記録ヘッド６に対向され、レンチキュラーレンズ７の側が係合部１２に接触するようにシートガイド３に載置する。つまり、記録ヘッド６は画像形成層８に対して記録を行い、レンチキュラーレンズ７の側から画像形成層８に記録された画像を視認することができる記録物が製作されることになる。
【００２７】
上述したように、構成される記録装置１００によりレンズシートＬに対して記録を行う場合には、レンズシートＬを、レンチキュラーレンズ７の側をシートガイド３の係合部１２に向けてシートガイド３の上に載置する。係合部１２とレンチキュラーレンズ７とは同一形状であるため、図２に示すように、シートガイド３上に載置されたレンズシートＬは、レンチキュラーレンズ７を構成するレンズ要素１３と凸条１４が互いに噛み合い、レンズシートＬは係合部１２により左右方向（主走査方向）の位置決めが行われた状態となる。また、凸条１４は、その母線（稜線）方向がレンズシートＬの所定の搬送方向である主走査方向に直交する方向に沿うように形成されている。したがって、レンズシートＬが給紙ローラ４と排紙ローラ５によって搬送される際には、係合部１２により主走査方向に直交する方向にガイドされた状態で搬送される。つまり、シートガイド３を、凸条１４の母線（稜線）方向、すなわち係合部１２のガイド方向が、レンズシートＬの所定の搬送方向に沿うように配置することで、レンズシートＬは、搬送方向が一定に維持された状態で搬送される。搬送方向が一定に維持された状態でレンズシートＬが搬送されることで、記録ヘッド６によるレンズシートＬへの記録を所定の位置に行うことができる。
【００２８】
給紙ローラ４とシートガイド３との間隔、および排紙ローラ５とシートガイド３との間隔は、これらのローラからレンズシートＬに対して適度な押圧力を作用させることができる間隔となっている。つまり、レンズシートＬをシートガイド３に対して押圧することで、係合部１２とレンチキュラーレンズ７との係合を確実なものとすることができ、レンズシートＬを搬送する際の左右方向の搬送精度、すなわちレンズシートＬの搬送の直進性を向上させることができる。
【００２９】
特に、例えば、レンズシートＬが上下方向に湾曲している場合には、レンチキュラーレンズ７と係合部１２との係合が外れ易い。そこで、湾曲したレンチキュラーレンズ７がシートガイド３から離れないように、給紙ローラ４および排紙ローラ５によりレンズシートＬをシートガイド３に対して押圧することで、レンチキュラーレンズ７と係合部１２との係合状態を保持することができる。一方、レンズシートＬをシートガイド３に対して強い力で押圧するとレンズシートＬとシートガイド３との間の摩擦等の搬送負荷が大きくなり、レンズシートＬをスムーズに搬送することができなくなる。そこで、スムーズにレンズシートＬを搬送できるように搬送負荷を考慮しながら、確実にレンチキュラーレンズ７と係合部１２との係合状態を維持できるような適度な押圧力が作用するように給紙ローラ４とシートガイド３との間隔および排紙ローラ５とシートガイド３との間隔等を設定する。
【００３０】
例えば、本実施の形態では、給紙ローラ４および排紙ローラ５の周囲を、弾性を有する肉厚のゴム材により被覆することで給紙ローラ４および排紙ローラ５の表面を弾性変形可能に構成すると共に、給紙ローラ４とシートガイド３との間の間隔および排紙ローラ５とシートガイド３との間の間隔を、レンズシートＬの厚さより狭く構成することで、給紙ローラ４および排紙ローラ５がレンズシートＬをシートガイド３に押圧することとしている。このように構成することで、レンズシートＬが給紙ローラ４および排紙ローラ５とシートガイド３との間を通過する際に、給紙ローラ４および排紙ローラ５のレンズシートＬとの接触部の表面が平らに弾性変形する。この弾性変形の反力によりレンズシートＬはシートガイド３に押圧された状態で、給紙ローラ４および排紙ローラ５の回転により搬送されることになる。ゴム材の弾性や肉厚、さらに給紙ローラ４とシートガイド３との間の間隔および排紙ローラ５とシートガイド３との間の間隔を適切に設定することで、レンズシートＬをスムーズに搬送することができるとともに、レンチキュラーレンズ７を係合部１２に適度な押圧力で押圧することができる。
【００３１】
なお、上述のように給紙ローラ４および排紙ローラ５の表面を弾性変形可能に構成した場合には、給紙ローラ４および排紙ローラ５とシートガイド３との間の間隔を、いわゆるコピー用紙等の紙媒体を搬送することができる間隔に設定しながら、レンズシートＬについては、上述の押圧力を作用させながら搬送させることができる。
【００３２】
コピー用紙等の紙媒体の厚さが０．１ｍｍ程度であるのに対し、レンズシートＬは、レンチキュラーレンズ７を形成する必要があるため、厚さが０．５ｍｍ程度と厚いものとなっている。したがって、該間隔を、紙媒体を搬送できる狭い間隔に設定しておくことで、搬送対象が紙媒体であるときはこの紙媒体を搬送することができる。一方、搬送対象が厚いレンズシートＬであるときは、給紙ローラ４および排紙ローラ５のレンズシートＬとの接触部が弾性変形し、レンズシートＬをシートガイド３にゴム材の弾性変形の反力で押圧した状態で搬送することができる。
【００３３】
なお、給紙ローラ４および排紙ローラ５は、レンズシートＬの左右の幅よりも長いものとされている。そのため、レンズシートＬを広い範囲に亘って均一に係合部１２に押圧することができ、レンチキュラーレンズ７と係合部１２との係合状態をより確実なものとすることができる。
【００３４】
（第２の実施の形態）
次に、本発明の第２の実施の形態に係る記録装置２００について、図３を参照しながら説明する。
【００３５】
図３は、記録装置２００の概略の構成を示す概略構成図であり、記録装置２００を後方から見た斜視図である。なお、上述の第１の実施の形態で説明したのと同様の構成については、同一の符号を付すこととし、その説明を省略する。
【００３６】
第１の実施の形態に係る記録装置１００の給紙ローラ４および排紙ローラ５が、搬送されるレンズシートＬの上側に配設されているのに対し、本実施の形態に係る記録装置２００は、レンズシートＬを搬送するための給紙ローラ２２および排紙ローラ２３が、搬送されるレンズシートＬの下側に位置するように配設されている。給紙ローラ２２の上側には、給紙ローラ２２の回転に追従して回転する給紙側従動ローラ２４が左右方向に３つ備えられ、また、排紙ローラ２３の上側にも、排紙ローラ２３の回転に追従して回転する排紙側従動ローラ２５が左右方向に３つ備えられている。つまり、レンズシートＬは、給紙ローラ２２と給紙側従動ローラ２４との間、および排紙ローラ２３と排紙側従動ローラ２５との間に挟まれて搬送される。
【００３７】
給紙ローラ２２の後方には、レンズシートＬをシートガイド２６に対して押圧するための加重ローラ２７が備えられている。この加重ローラ２７は、例えば、ステンレスや真鍮等の金属で形成され、レンズシートＬの左右方向の幅よりも長いものとなっている。加重ローラ２７の左右の端面にはそれぞれ軸２８が備えられている。
【００３８】
加重ローラ２７は、加重ローラ２７の左右方向に備えられる軸受部２９の軸受け孔３０に、軸２８を介して回動自在に支持されている。軸受け孔３０は、上下方向に長い長円形に形成されている。つまり、加重ローラ２７は軸受部２９に上下方向に変位可能に支持されている。
【００３９】
加重ローラ２７の下側には、シートガイド２６が備えられている。シートガイド２６は、上述の記録装置１００におけるシートガイド３が、その前端部を排紙ローラ５よりも前方に配置させているのに対し、シートガイド２６の前端部は、給紙ローラ２２よりも後方で、給紙ローラ２２と加重ローラ２７との間に位置されている点を除いて記録装置１００のシートガイド３と同様の構成である。
【００４０】
加重ローラ２７の直径Ｍと、軸受け孔３０の下端部３１のシートガイド２６からの高さＨとは、加重ローラ２７の軸２８が軸受け孔３０の下端部３１に支持されている状態で、シートガイド２６と加重ローラ２７との間隔が、シートガイド２６に載置されているレンズシートＬの上面と凸条１４の頂部との間の距離Ｔより狭くなるように設定されている。そのため、加重ローラ２７とシートガイド２６との間にレンズシートＬを差し込むと、加重ローラ２７は、レンズシートＬにより上方に持ち上げられた状態となる。したがって、シートガイド２６上を搬送されるレンズシートＬを、加重ローラ２７によりシートガイド２６に対して押圧することができる。レンズシートＬが給紙ローラ２２および排紙ローラ２３により前方に搬送される際には、レンズシートＬの搬送に追従して加重ローラ２７が軸２８を中心に自転する。このため、レンズシートＬの搬送負荷の増加を抑えながらレンズシートＬをシートガイド２６に対して押圧できる。また、レンズシートＬは加重ローラ２７に擦れることなく搬送される。
【００４１】
以上のように構成される記録装置２００においては、記録装置１００と同様に、レンズシートＬは、搬送方向が係合部１２のガイド方向に沿って一定に維持された状態で搬送されるため、記録ヘッド６による記録を所定の位置に行うことができる。また、加重ローラ２７がレンズシートＬをシートガイド２６に押圧することにより、レンチキュラーレンズ７と係合部１２との係合が確実なものとなり、レンズシートＬへの記録位置の精度をより向上させることができる。
【００４２】
また、加重ローラ２７は、レンズシートＬの左右の幅よりも長いものとされているため、レンズシートＬを広い範囲に亘って均一に係合部１２に押圧することができ、レンチキュラーレンズ７と係合部１２との係合状態をより確実なものとすることができる。
【００４３】
（第３の実施の形態）
次に、本発明の第３の実施の形態に係る記録装置３００について、図４を参照しながら説明する。
【００４４】
図４は、記録装置３００の概略の構成を示す概略構成図であり、記録装置３００を後方から見た斜視図である。なお、上述の第１の実施の形態および第２の実施の形態で説明したのと同様の構成については、同一の符号を付すこととし、その説明を省略する。
【００４５】
本実施の形態に係る記録装置３００は、レンズシートＬのシートガイド２６への押圧をシートフィーダ機構３２の紙押え３３を利用して行うものである。シートフィーダ機構３２は、支持手段としての用紙スタッカ３４と、紙押え３３と、ピックアップローラ３５等を備え、用紙スタッカ３４に重ねて載置される複数枚の用紙（図示省略）を、ピックアップローラ３５により一枚ずつ引き出し給紙ローラ２２に送るように構成されている。用紙スタッカ３４に載置されている用紙は、ピックアップローラ３５により取り出される用紙を除いて、紙押え３３により前方へ滑り落ちないように止められている。
【００４６】
紙押え３３は、図４に示すように、左右に等間隔に３つ配設されるピックアップローラ３５の間に２つ備えられ、図示を省略する回動機構により、前端部３６を中心に上下方向に回動可能に構成されている。紙押え３３は、シートフィーダ機構３２の使用時、すなわち、用紙スタッカ３４に用紙（図示省略）が載置されている場合には、図４に点線で示すように上方に回動した位置に配置される。そして、この位置では、紙押え３３の後端面３７が用紙スタッカ３４の用紙載置面３８の上方に突出し、この後端面３７で用紙スタッカ３４に載置されている用紙（図示省略）が前方へ滑り落ちることを阻止している。
【００４７】
一方、用紙スタッカ３４に用紙（図示省略）が載置されていないとき、すなわちシートフィーダ機構３２の未使用時には、紙押え３３は、図４に実線で示すように下方に回動したレンズシート押え位置に配置される。また、紙押え３３の下面はフェルトが貼られたフェルト面３９として構成されている。
【００４８】
紙押え３３は、レンズシート押え位置では、紙押え３３のフェルト面３９がシートガイド２６（シートガイド２６にレンズシートＬが載置されている場合にはレンズシートＬ）に対向するように構成され、また、図示を省略するスプリング等の付勢手段により下方に向けて付勢された状態となっている。そのため、シートフィーダ機構３２の未使用時には、レンズシート押え位置に回動した紙押え３３によりレンズシートＬはシートガイド２６に対して押圧されることになる。
【００４９】
つまり、紙押え３３を下方に付勢する付勢手段の付勢力を、レンズシートＬの搬送に大きな制動を与えないように、かつ、レンズシートＬのレンチキュラーレンズ７と係合部１２との係合が確実に行われるように設定することで、上述の記録装置１００および記録装置２００と同様に、レンズシートＬは、搬送方向が係合部１２のガイド方向に沿って一定に維持された状態で搬送されるため、記録ヘッド６による記録を所定の位置に行うことができる。レンズシートＬは紙押え３３により押圧された状態で搬送される際には、画像形成層８がフェルト面３９に擦れながら搬送されるが、柔らかく低摩擦のフェルト面３９に接触させることで画像形成層８が傷つくことを防ぐことができる。
【００５０】
（搬送角度の検出）
ところで、係合部１２のガイド方向が、レンズシートＬの所定の搬送方向に正確に沿うように、すなわち係合部１２のガイド方向が主走査方向（給紙ローラ４，２２および排紙ローラ５，２３とに直交する方向）に対して直交するように、シートガイド３，２６が筐体２に取り付けられている場合には、レンズシートＬの所定の位置に記録を行うことができる。一方、係合部１２のガイド方向が主走査方向に対して直交していない状態でシートガイド３，２６が筐体２に取り付けられている場合には、このシートガイド３，２６上を搬送されるレンズシートＬは斜行して搬送されてしまう。その結果、レンズシートＬは搬送されるにつれて、斜行方向に応じて左右いずれかに変位しながら搬送されることになり、レンズシートＬの所定の位置に記録を行うことができない。しかしながら、レンズシートＬは、係合部１２にガイドされた状態で搬送されるため、一定の斜行状態が維持されたまま搬送される。つまり、レンズシートＬが搬送された距離とレンズシートＬが左方または右方に変位する量とは比例する。したがって、係合部１２のガイド方向と所定の搬送方向との傾斜角を予め測定し、記録を行うための記録用画像データを、この傾斜角に対応して補正することで、レンズシートＬが斜行して搬送されても、レンズシートＬの所定位置に記録を行うことができる。
【００５１】
傾斜角の測定の測定は次のようにして行うことができる。記録装置３００により、図５に示すように、レンズシートＬに対して検査用の画像である複数本のラインＬｎから構成される検査用画像ＣＭを記録する。これらのラインＬｎは、画像データ上では、ラインＬｎの中の中心のラインＬＡを所定の搬送方向に沿ったラインとし、このラインＬＡを中心に、このラインＬＡの左右に有るラインＬｎを左右で異なる方向に同一角度ずつ順に傾斜を累積させたものとする。
【００５２】
例えば、ラインＬＡよりも右側のラインＬｎは、搬送方向に向かって時計回りに０．０１度刻みで順に傾斜角を増すように設定し、ラインＬＡよりも左側のラインＬｎは、搬送方向に向かって反時計回りに０．０１度刻みで順に傾斜角を増すように設定する。このような検査用の画像データに基づいて、係合部１２にガイドされながら搬送されるレンズシートＬに検査用画像ＣＭを記録する。そして、レンズシートＬに記録された検査用画像ＣＭをレンチキュラーレンズ７の側から見ると、図６に示すように、ラインＬｎの中でレンチキュラーレンズ７のレンズ要素１３の母線（稜線）に沿って記録されているラインＬＢについては、連続した１本のラインとして視認することができる。他方、レンズ要素１３の母線（稜線）に沿って記録されていないラインＬｎについては複数のレンズ要素１３にまたがって記録されるため、例えば、ラインＬＣ等のように不連続に左右のいずれかの方向に分断されたラインとなる。
【００５３】
したがって、ラインＬｎの中で、レンチキュラーレンズ７を介して１本のラインで見ることができるラインＬＢに対応するラインＬｎの傾斜角を、係合部１２のガイド方向と所定の搬送方向との傾斜角として測定できる。そして、この測定された傾斜角に基づいて記録用画像データを回転させた補正画像データを生成する。レンズシートＬへの画像の記録をこの補正画像データに基づいて行うことで、レンズシートＬが斜行して搬送される場合も所定位置に画像を記録することができる。
【００５４】
なお、上述の係合部１２のガイド方向の傾斜角の測定は、０．０１度刻みの傾斜角でラインが形成された１種類の検査用画像を用いて行ったが、傾斜角の変化量が違う２種類の検査用画像を用いて係合部１２のガイド方向の傾斜角を測定してもよい。例えば、０．０５度刻みの傾斜角でラインが形成された第１の検査用画像をレンズシートＬに記録し、この検査用画像をレンチキュラーレンズ７を介して見たときに最も１ラインの長さが長いラインを特定する。次いで、別のレンズシートＬにこのラインの傾斜角を中心にして左右に０．０１度刻みの傾斜角でラインが形成される第２の検査用画像を記録する。そして、第２の検査用画像をレンチキュラーレンズ７を介して見たときに最も１ラインの長さが長いラインを特定する。このラインの傾斜角を、係合部１２のガイド方向と所定の搬送方向との傾斜角として測定することができる。
【００５５】
このように、２種類の検査用画像を用いて係合部１２のガイド方向の傾斜角を測定することで、測定できる傾斜角の範囲を広げるとともに、精度の高い測定を行うことができる。つまり、０．０１度刻みの傾斜角でラインが形成される検査用画像だけの場合は、中心のラインの両側に０．０１度刻みのラインの本数倍までしか傾斜角の測定を行うことができない。しかしながら、０．０５度刻みの傾斜角でラインが形成される検査用画像を使用することで、広い範囲の傾斜角を測定でき、さらにその次に、０．０１度刻みの傾斜角でラインが形成される検査用画像を使用することで、精度の高い傾斜角の測定を行うことができる。検査用画像の種類を増やすことで、さらに広い範囲でかつ精度の高い搬送傾斜角の測定を行うことができる。
【００５６】
（第４の実施の形態）
次に、本発明の第４の実施の形態に係る記録装置４００について、図７から図９を参照しながら説明する。
【００５７】
図７は、記録装置４００の概略の構成を示す概略構成図であり、記録装置４００を後方から見た斜視図である。図８は、図７に示す切断線Ａ−Ａにおける断面図であり、図９は、同じく図７に示す切断線Ｂ−Ｂにおける断面図である。なお、上述の第１から第３の実施の形態で説明したのと同様の構成については、同一の符号を付すこととし、その説明を省略する。
【００５８】
本実施の形態に係る記録装置４００は、シートガイド４０の左右方向への変位と、レンズシートＬの搬送方向に対する角度の変更を行うシートガイド変位機構４１を備える。シートガイド変位機構４１は、筐体２に対してねじ等により固定される固定ステージ４２と、この固定ステージ４２に対して左右方向に移動可能な移動ステージ４３と、この移動ステージ４３を固定ステージ４２に対して左右方向に変位させる変位手段としての左右変位機構４４と、移動ステージ４３に載置されるシートガイド４０を、移動ステージ４３上で回転させる回転手段としての回転機構４５等を有する。
【００５９】
固定ステージ４２は、移動ステージ４３を載置する板状のステージ板４６とこのステージ板４６の前端部の下側に形成されるフランジ部４７とを有する。固定ステージ４２は、フランジ部４７を筐体２の給紙開口部９の下方の位置に当接させた状態で、フランジ部４７を筐体４に対してねじ等により締結固定することで、筐体２に一体的に取り付けられる。フランジ部４７がこのように筐体２に固定されることで、ステージ板４６は、筐体２の後方に延設されるように配置されることになる。
【００６０】
ステージ板４６の上面には、移動ステージ４３が載置される。そして、後述するガイド軸４８，４９（図８，９参照）、移動ステージ４３に形成される舌状部５０等により構成される左右変位機構４４により、移動ステージ４３を、左右方向、すなわち主走査方向に変位させることができる。移動ステージ４３は、全体として矩形の板状体を呈し、４隅の近傍にそれぞれ舌状部５０が下方に向かって延設されている。そして、移動ステージ４３は、舌状部５０の内側にステージ板４６を配置するようにしてステージ板４６に載置されている。
【００６１】
図８に示すように、移動ステージ４３の後側部分には左右方向に円柱状のガイド軸４８が挿通され、ガイド軸４８の両端部は後方の一対の舌状部５０に回転自在に支持されている。また、ガイド軸４８の左側の端部は、舌状部５０を貫通し調整摘み５１に連結されている。
【００６２】
舌状部５０を貫通するガイド軸４８の部分には舌状部５０を左右に挟む一対のフランジ部５２が形成されている。したがって、舌状部５０に回転自在に支持されているガイド軸４８は、左右方向については２つのフランジ部５２により移動が規制されている。ガイド軸４８と移動ステージ４３の一部にはねじ結合部５３が設けられている。移動ステージ４３に挿通されているガイド軸４８は、ねじ結合部５３以外の部分においては、移動ステージ４３がガイド軸４８に沿って移動可能となっている。
【００６３】
また、図９に示すように、移動ステージ４３の前側部分には左右方向に円柱状のガイド軸４９が挿通され、ガイド軸４９の両端部は前方の一対の舌状部５０に支持されている。ガイド軸４９は、移動ステージ４３がガイド軸４９に沿って移動可能に移動ステージ４３に挿通されている。
【００６４】
左右変位機構４４をこのように構成することで、調整摘み５１を回転すると、ガイド軸４８と移動ステージ４３とのねじ結合部５３の作用により、移動ステージ４３は、ガイド軸４８とガイド軸４９にガイドされて、調整摘み５１の回転方向に応じて左右方向に変位する。なお、左右の舌状部５０の内側面５４とステージ板４６との左右の側面５５との間には、移動ステージ４３の左右方向への変位を許容する間隔Ｓが形成されている。
【００６５】
移動ステージ４３の上面には、シートガイド４０が載置される。そして、後述する回転軸５６（図７参照）や調整ねじ５７等により構成される回転機構４５により、回転軸５６を中心にシートガイド４０を移動ステージ４３上で回転させることができる。
【００６６】
シートガイド４０は、調整ねじ５７がねじ結合する片部５８が左縁部に設けられる点と、下面側に回転軸５６が設けられている点を除いて、上述の第１の実施の形態から第３の実施の形態におけるシートガイド３，２６と同様の構成となっている。移動ステージ４３には調整ねじ５７を支持するねじ受部５９が、片部５８と対向するよう設けられている。
【００６７】
図８に示すように、調整ねじ５７はねじ受部５９に回動可能に挿通されて支持され、調整ねじ５７の軸部６０にはねじ受部５９を左右に挟む位置にフランジ部６０Ａが形成されている。つまり、調整ねじ５７は、フランジ部６０Ａにより左右方向への移動が規制された状態でねじ受部５９に回動自在に支持されている。軸部６０の先端部にはねじ部６１が形成され、このねじ部６１が片部５８にねじ結合している。
【００６８】
ところで、シートガイド４０の下面に設けられている回転軸５６は、移動ステージ４３の上面に形成される軸受部６２に回動自在に嵌合している。そして、シートガイド４０は、回転軸５６を中心に移動ステージ４３上で回転することができる。回転機構４５をこのように構成することで、調整ねじ５７を回転すると、ねじ部６１に片部５８でねじ結合するシートガイド４０を、回転軸５６を中心に、調整ねじ５７の回転方向と回転量に応じて回転することができる。
【００６９】
画像形成層８に記録された画像をレンチキュラーレンズ７を介して所定の画像として見ることができるようにするためには、レンズ要素１３毎に対応する画像を、対応するレンレンズ容易１３に精度良く位置を合わせて記録する必要がある。したがって、レンチキュラーレンズ７の左右方向の位置を記録位置に合わせ、かつ、レンズシートＬのレンチキュラーレンズ７の所定の搬送方向に対する角度を所定の角度とする必要ある。
【００７０】
そこで、上述したようにシートガイド変位機構４１により、シートガイド４０の左右方向への変位と回転軸５６を中心とした回転の調整を行うことで、レンチキュラーレンズ７に対して所定位置に記録を行うことができるように、シートガイド４０に載置されるレンズシートＬの位置を設定することができる。
【００７１】
シートガイド４０の左右方向への変位と回転の調整は、例えば、上述したように、レンズシートＬに検査用画像を記録し、レンズシートＬをレンチキュラーレンズ７の側から見たときに、検査用画像の中心のライン（図５に示すラインＬＡ）が１本のラインに見える位置にシートガイド４０の回転位置が定まるよう調整摘み５１を回してシートガイド４０の回転位置を調整する。
【００７２】
また、レンズシートＬへの画像の記録位置は、レンズシートＬの搬送方向に対する傾斜角の他に、左右方向の位置を調整し、画像の記録位置がレンチキュラーレンズ７のレンズ要素１３に対して所定位置になるようにする必要がある。そのため、調整摘み５１によりシートガイド４０を左右方向に変位させることで、レンズシートＬの左右方向の位置が画像の記録位置に対して所定の位置になるようにすることができる。
【００７３】
このように、シートガイド変位機構４１を備えることにより、レンズシートＬに対する画像の記録位置を所定の位置に容易に合わせることができる。
【００７４】
（第５の実施の形態）
次に、本発明の第５の実施の形態に係る記録装置５００について、図１０および図１１を参照しながら説明する。
【００７５】
図１０は、記録装置５００の概略の構成を示す概略構成図であり、記録装置５００を後方から見た斜視図である。図１１は、図１０に示す切断線Ａ−Ａにおける断面図である。なお、上述の第１から第４の実施の形態で説明したのと同様の構成については、同一の符号を付すこととし、その説明を省略する。
【００７６】
本実施の形態に係る記録装置５００は、シートガイド２６の上に枠体６３を取り付け、この枠体６３に複数の加重ローラ６４（本実施の形態では３つ）を保持する構成としたものである。加重ローラ６４は、記録装置２００の加重ローラ２７と同様に、例えば、ステンレスや真鍮等の金属で形成され、レンズシートＬの左右方向の幅よりも長いものとなっている。
【００７７】
枠体６３は、シートガイド２６の左右の端縁に取り付けられる脚部６５と、シートガイド２６の上方に位置するように左右の脚部６５に支持される板体６６と有し、前後に貫けるトンネル部６７を形成している。板体６６には、左右方向に長い矩形の孔６８が形成されている。孔６８は、加重ローラ６４の数に対応して３つ形成されている。そして、孔６８は、左右方向の幅Ｗは加重ローラ６４の長さより長く形成されている。また、孔６８の前後方向の長さＦと、係合部１２と板体６６の間隔Ｐは、共に加重ローラ６４の直径Ｄより短く形成されている。したがって、孔６８の下側に加重ローラ６４を配置することで、加重ローラ６４は、孔６８により前後左右への移動を規制された状態で枠体６３に保持されることになる。
【００７８】
また、孔６８の前後方向の長さＦと係合部１２と板体６６の間隔Ｐは、加重ローラ６４が、上下方向に少なくともレンズシートＬの厚さ以上に移動できる長さと間隔に設定されている。したがって、トンネル部６７の後方の開口部６９からトンネル部６７内にレンズシートＬを挿入し、加重ローラ６４と係合部１２との間にレンズシートＬを入り込ませることができる。
【００７９】
そして、加重ローラ６４と係合部１２との間に入り込まされたレンズシートＬは、加重ローラ６４の重さでシートガイド２６に対して押圧されることになる。加重ローラ６４は、孔６８により前方への移動を規制されているため、レンズシートＬが給紙ローラ２２および排紙ローラ２３により前方に搬送されると、レンズシートＬの搬送に追従して加重ローラ６４は、孔６８の内側で自転する。このため、レンズシートＬの搬送負荷の増加を抑えながらレンズシートＬをシートガイド２６に対して押圧できる。また、レンズシートＬは加重ローラ６４に擦れることなく搬送される。
【００８０】
このように構成される記録装置５００においても、上述の各記録装置１００から４００と同様にレンズシートＬは、搬送方向が係合部１２のガイド方向に沿って一定に維持された状態で搬送されるため、記録ヘッド６による記録を所定の位置に行うことができる。また、加重ローラ６４がレンズシートＬをシートガイド２６に押圧することにより、レンチキュラーレンズ７と係合部１２との係合が確実なものとなり、レンズシートＬへの記録位置の精度をより向上させることができる。また、本実施の形態では、加重ローラ６４を前後方向に３箇所配置している。そのため、レンズシートＬを広い範囲に亘って押圧することができ、レンチキュラーレンズ７と係合部１２との係合状態をより確実なものとすることができる。なお、調整摘み５１のねじ部６１は、左側の脚部６５にねじ結合していて、調整摘み５１を回転させると、シートガイド２６の回転を行うことができるように構成されている。
【００８１】
（第６の実施の形態）
次に、本発明の第６の実施の形態に係る記録装置６００について、図１２および図１３を参照しながら説明する。
【００８２】
図１２は、記録装置６００の概略の構成を示す概略構成図であり、記録装置６００を後方から見た斜視図である。図１３は、図１１に示す切断線Ａ−Ａにおける断面図である。なお、上述の第１から第５の実施の形態で説明したのと同様の構成については、同一の符号を付すこととし、その説明を省略する。
【００８３】
本実施の形態に係る記録装置６００は、加重ローラ６４の代わりに押え部材７０によりレンズシートＬを係合部１２に押圧する構成としたものである。押え部材７０は、円形の押え板７１と、この押え板７１の上面に設けられるねじ部７２とを有する。押え板７１の下面にはフェルト７３が貼りつけられている。
【００８４】
ねじ部７２は板体６６にねじ結合し、押え部材７０は、ねじ部７２の回りに回転することで、板体６６に対して上下に変位させることができる。したがって、押え部材７０をねじ部７２の回りに回転し下方に変位させ、板体６６に反力を取って押え板７１によりレンズシートＬを係合部１２に対して押圧することができる。これにより、レンチキュラーレンズ７と係合部１２との係合を確実なものとすることができ、レンズシートＬへの記録位置の精度を向上させることができる。なお、押え板７１はフェルト７３を介してレンズシートＬを押圧するため、レンズシートＬの搬送の大きな抵抗となることはない。
【００８５】
（第７の実施の形態）
次に、本発明の第７の実施の形態に係る記録装置７００について、図１４を参照しながら説明する。
【００８６】
図１４は、記録装置７００の概略の構成を示す概略構成図であり、記録装置７００を前方から見た斜視図である。なお、上述の第１から第６の実施の形態で説明したのと同様の構成については、同一の符号を付すこととし、その説明を省略する。
【００８７】
本実施の形態に係る記録装置７００は、シートフィーダ機構３２の用紙スタッカ３４に加重ローラ６４と係合部１２を設け、用紙スタッカ３４に載置されたレンズシートＬを係合部１２でガイドして搬送する構成とするものである。なお、紙押え３３やピックアップローラ３５等については、上述の第３の実施の形態に係る記録装置３００と同様の構成として備えられている。
【００８８】
係合部１２は、レンズシートＬをレンチキュラーレンズ７を上方に向けて用紙スタッカ３４の底面（用紙を載置する面）に貼着する等して設けられている。加重ローラ６４は、前後方向の３箇所に備えられ、ローラ転がり止め７４により前方へ転がり落ちないように支持されている。ローラ転がり止め７４は、用紙スタッカ３４の左右の縁部に上方に向けて立設される側壁板７５に各加重ローラ６４毎に取り付けられている。ローラ転がり止め７４は、円柱体を呈し、また、ローラ転がり止め７４の下部と係合部１２との間は、レンズシートＬがローラ転がり止め７４に接触することなく通過できるように十分な間隔が設けられている。
【００８９】
シートフィーダ機構３２を用いてレンズシートＬに記録を行うには、先ず、レンズシートＬをレンチキュラーレンズ７の面を係合部１２の側に向けた状態で、ローラ転がり止め７４と係合部１２との間に後方から挿入し、レンズシートＬを用紙スタッカ３４上に載置する。そして、レンズシートＬがピックアップローラ３５（図４参照）あるいは給紙ローラ４（図４参照）の搬送力を受けることが出来る位置まで、レンズシートＬを前方に移動する。続いて、加重ローラ６４を、ローラ転がり止め７４の後側の用紙スタッカ３４に載置されているレンズシートＬの上に載置する。加重ローラ６４をレンズシートＬの上に載置することで、レンズシートＬが係合部１２に押圧されることになる。レンズシートＬが搬送される際には、係合部１２により左右方向がガイドされた状態で搬送され、搬送方向が一定に維持された状態で搬送される。そのため、記録ヘッド６によるレンズシートＬへの記録を所定の位置に行うことができる。また、加重ローラ６４によりレンズシートＬが係合部１２に押圧されることで、レンチキュラーレンズ７と係合部１２との係合状態が確実なものとなり、レンズシートＬへの記録位置の精度を向上させることができる。
【００９０】
（第８の実施の形態）
次に、本発明の第８の実施の形態に係る記録装置８００について、図１５および１６を参照しながら説明する。なお、上述の第１から第６の実施の形態で説明したのと同様の構成については、同一の符号を付すこととし、その説明を省略する。
【００９１】
記録装置１００等において、シートガイド３（２６）が、筐体２に対して固定されているのに対し、記録装置８００においては、シートガイド８０が、筐体２に対し着脱可能な構成となっている。図１５は、筐体２から、シートガイド８０を取り外した状態を示し、図１６はシートガイド８０を筐体２に取り付けた状態を示している。
【００９２】
シートガイド８０の下面には、下方に延設される舌状部８１が、概ねシートガイド８０の左右方向の幅に亘って形成されている。舌状部８１の左右には、取付ねじ８２が通されるねじ挿通孔８３（右側のねじ挿通孔８３についてはシートガイド８０の下側にあるため図示外）が形成されている。また、シートガイド８０の下面には、シートガイド８０をシートガイド８０を設置面等に支持する支持脚８４が左右に３本づつ設けられている。一方、筐体２の後側の側面には、舌状部８１を受ける円筒状に突起したシートガイド支持突起８５が設けられている。このシートガイド支持突起８５の中心には、取付ねじ８２がねじ結合するねじ孔８６が形成されている。そして、シートガイド８０は、舌状部８１をシートガイド支持突起８５の先端面８５Ａに当接させた状態で、取付ねじ８２をねじ孔８６にねじ結合することで、筐体２に対して取り付けられる。
【００９３】
シートガイド８０は、舌状部８１より前側に延設部８０Ａが延設されている。延設部８０Ａは、シートガイド８０を筐体２に対して取り付けた状態、つまり、舌状部８１をシートガイド支持突起８５に取り付けた状態で、給紙開口部９から筐体２の内部に挿入される位置に配置され、そして、延設部８０Ａの舌状部８１から延出した部分の長さは、延設部８０Ａの前端部が給紙ローラ２２（図示外）の手前の位置に配置されるように設定されている。
【００９４】
また、６つの支持脚８４の下端に備えられる接地部８７は、支持脚８４に対し図示外のねじ結合部にて取り付けられ、このねじ結合量を調節することで、支持脚８４の上下方向に沿って移動可能となっている。つまり、接地部８７の支持脚８４とのねじ結合量を変えることで、シートガイド８０の高さを調整することができる。また、各支持脚８４の接地部８７のねじ結合量を相互に変えることで、シートガイド８０の前後あるいは左右方向の傾斜を調整することができる。したがって、シートガイド８０は、延設部８０Ａをシートガイド支持突起８５に取付ねじ８２により固定するのに併せて、接地部８７と支持脚８４とのねじ結合量を調整してシートガイド８０の上面が、水平な状態、すなわち、給紙ローラ２２および排紙ローラ２３により搬送されるレンズシートＬ（図示外）の高さに沿う状態になるように調整する。
【００９５】
なお、シートガイド８０の上面には、加重ローラ２７が、シートガイド８０に設けられる軸受部２９に支持され備えられている。したがって、シートガイド８０に載置されたレンズシートＬは、加重ローラ２７によりシートガイド８０に対して押圧され、係合部１２とレンチキュラーレンズ７との係合が確実なものとされ、レンズシートＬ（図示省略）を搬送する際の左右方向の搬送精度、すなわちレンズシートＬ（図示省略）の搬送の直進性が高いものとなっている。
【００９６】
シートガイド８０は、係合部１２のガイド方向がレンズシートＬ（図示省略）の所定の搬送方向に正確に沿うように、すなわち係合部１２のガイド方向が主走査方向（給紙ローラ２２および排紙ローラ２３（図示外）とに直交する方向）に対して直交するように、シートガイド８０は筐体２に取り付けられることが好ましい。そこで、図１７に示すように、左右のシートガイド支持突起８５の円筒部の高さを相互に違えて設定することで、シートガイド８０の左右方向の傾斜を解消したり、あるいは図１８に示すように、舌状部８１とシートガイド支持突起８５の間にスペーサとしてワッシャ８８を配設することで、シートガイド８０を筐体２に取り付ける際の左右方向の傾斜を解消することができる。ワッシャ８８を利用してシートガイド８０の左右方向の傾斜を解消する場合には、左右いずれか一方に該傾斜を解消するのに適切な厚さのワッシャ８８を設けるか、あるいは、該傾斜を解消するように左右で厚さが異なるワッシャ８８を用いる。
【００９７】
記録装置８００は、上述のように構成されることで、シートガイド８０の筐体２への取り付けを容易に行なうことができる。
【００９８】
上述の各実施の形態において、係合部１２は、レンズシートＬの左右方向の幅全域に亘って形成したが、少なくとも１本または数本の凸条１４により構成してもよい。係合部１２を複数本の凸条１４により構成する場合には、凸条１４の間隔は、レンチキュラーレンズ７の配設ピッチの整数倍とする。これにより、レンズシートＬの下側に位置する複数の凸条１４を全てレンチキュラーレンズ７に係合させることができ、レンチキュラーレンズ７と係合部１２との係合状態を確実なものとすることができる。
【００９９】
また、各実施の形態において係合部１２は、凸条１４としたが、図１９に示すように、レンチキュラーレンズ７と同一の形状で凹条７６を係合部としてもよい。
【０１００】
なお、係合部１２の表面にフッ素樹脂等の低摩擦材をコーティングすることで、レンズシートＬと係合部１２との間の摩擦が低くなり、レンズシートＬの搬送をスムーズに行うことができ、また、係合部１２の耐摩耗性を向上することができる。さらにレンチキュラーレンズ７の側に透明な低摩擦材をコーティングすることで、レンズシートＬと係合部１２との間の摩擦をさらに低くすることができ、レンズシートＬの搬送をスムーズに行うことができる。
【０１０１】
上述の各実施の形態に説明した記録装置１００等は、記録ヘッド６がレンズシートＬの搬送方向と直交する方向に移動する形式のものであるが、記録ヘッドが移動しないいわゆるラインヘッドを用いた記録装置についても本発明を用いることができる。この場合、記録ヘッド６の移動方向である主走査方向は、ラインヘッドの長手方向の方向に対応する方向となる。
【０１０２】
ところで、上述した各実施形態において、レンズシートＬの代わりにコピー用紙等の薄い紙媒体を搬送対象とした場合にも、給紙ローラ４および排紙ローラ５あるいは加重ローラ２７等の押圧手段により紙媒体を係合部１２に押圧することで、紙媒体が係合部１２のガイド方向に沿って搬送され易くなる。つまり、紙媒体を搬送する際の左右方向の搬送精度、すなわち紙媒体の搬送の直進性を向上させることができる。
【図面の簡単な説明】
【０１０３】
【図１】本発明の第１の実施の形態に係る記録装置の後方斜視図である。
【図２】図１に示す部分Ｒの拡大図である。
【図３】本発明の第２の実施の形態に係る記録装置の後方斜視図である。
【図４】本発明の第３の実施の形態に係る記録装置の後方斜視図である。
【図５】検査用画像の記録内容を示す図である。
【図６】検査用画像をレンチキュラーレンズの側から見たときの画像を示す図である。
【図７】本発明の第４の実施の形態に係る記録装置の後方斜視図である。
【図８】図７における切断線Ａ−Ａにおける断面を示す断面図である。
【図９】図７における切断線Ｂ−Ｂにおける断面を示す断面図である。
【図１０】本発明の第５の実施の形態に係る記録装置の後方斜視図である。
【図１１】図１０における切断線Ａ−Ａにおける断面を示す断面図である。
【図１２】本発明の第６の実施の形態に係る記録装置の後方斜視図である。
【図１３】図１２における切断線Ａ−Ａにおける断面を示す断面図である。
【図１４】本発明の第７の実施の形態に係る記録装置の後方斜視図である。
【図１５】本発明の第８の実施の形態に係る記録装置の後方斜視図であり、シートガイドを取り外した状態を示す図である。
【図１６】図１５に示す記録装置において、シートガイドを取り付けた状態を示す図である。
【図１７】図１５に示す記録装置の筐体側のシートガイド取付部を示す図である。
【図１８】図１５に示す記録装置のシートガイド側の筐体への執り付け部を示す図である。
【図１９】係合部の形状の変形例を示す図である。
【符号の説明】
【０１０４】
３，２６，４０，８０  …  シートガイド（支持手段）    ４  …  給紙ローラ（押圧手段、回転ローラ）    ５  …  排紙ローラ（押圧手段、回転ローラ）    ７  …  レンチキュラーレンズ    １１Ａ  …  上面（支持面）    １２  …  係合部    ２７  …  加重ローラ（押圧手段、回転ローラ）    ４１  …  シートガイド変位機構（変位機構）    ４４  …  左右変位機構（変位機構）    ４５  …  回転機構    ６４  …  加重ローラ（押圧手段、回転ローラ）    ７０  …  押え部材（押圧手段）    １００，２００，３００，４００，５００，６００，７００，８００  …  記録装置    Ｌ  …  レンズシート（記録媒体、シート体）
【図１】
0005194671.tif 000002
【図２】
0005194671.tif 000003
【図３】
0005194671.tif 000004
【図４】
0005194671.tif 000005
【図５】
0005194671.tif 000006
【図６】
0005194671.tif 000007
【図７】
0005194671.tif 000008
【図８】
0005194671.tif 000009
【図９】
0005194671.tif 000010
【図１０】
0005194671.tif 000011
【図１１】
0005194671.tif 000012
【図１２】
0005194671.tif 000013
【図１３】
0005194671.tif 000014
【図１４】
0005194671.tif 000015
【図１５】
0005194671.tif 000016
【図１６】
0005194671.tif 000017
【図１７】
0005194671.tif 000018
【図１８】
0005194671.tif 000019
【図１９】
0005194671.tif 000020